(57)【要約】      （修正有）【課題】複数のシート材料の機能を１枚に集約した光偏向シートを得ることが出来、高輝度で且つ面光源内における輝度ムラおよびドットイメージを低減する光偏向シートを提供する。【解決手段】指向性光出射機能を有する導光板からの出射光を偏向する光偏光シート１０の透光性樹脂基板の両面に、光学的構造を形成する。光光学的構造は、透明基材の両面に形成された異方性レンズであってもよく、一方の面にプリズムレンズ列を形成し、他方の面に異方性マイクロレンズを形成してもよい。また、透明基材の両面に形成された異方性レンズの全面または一部分を粗面にしてもよい。このような光偏向シート１０を用いることにより、部材点数を削減しても、高輝度であり且つ輝度ムラおよびドットイメージの発生を抑制することができる面光源装置を提供することができる。【選択図】図１
2009300989.tif 000002
【特許請求の範囲】
【請求項１】
指向性光出射機能を有する導光板からの出射光を偏向する光偏光シートであって、前記光偏向シートが、透光性樹脂基板の両面に光学的構造を備えた光偏向シート。
【請求項２】
前記光光学的構造が、両面異方性レンズである請求項１記載の光偏向シート。
【請求項３】
前記光学的構造が、一方の面にプリズムレンズ列を有し、他方の面に異方性マイクロレンズである請求項１記載の光偏向シート。
【請求項４】
前記光学的構造が、両面とも異方性レンズであり、出射面側の異方性レンズの全面あるいは一部が粗面である請求項１記載の光偏向シート。
【請求項５】
前記光学的構造が、一方の面に異方性レンズを有し、他方に異方性拡散素子を有する請求項１記載の光偏向シート。
【請求項６】
光源と、光入射面から入射した入射光を光出射面から出射する導光体と、前記導光体の光出射面の裏面に対抗して配置された光反射素子と、前記導光体の光出射面上に配置され、透光性樹脂基板の両面に光学的構造を備えた光偏向シートと、
備え、
前記光偏向シートは、前記導光体の光出射面と対向する面にプリズムレンズ列を有することを特徴とする面光源装置。
【請求項７】
前記面光源装置に備えられた光反射素子が、正反射による反射を起こす光反射素子であることを特徴とする請求項６に記載の面光源装置。
【発明の詳細な説明】
【技術分野】
【０００１】
本発明は、面光源装置用の光偏向シートに関し、より詳細には、サイドライト方式の光
源装置で用いられる光偏向シートに関する。
【背景技術】
【０００２】
液晶パネル等のディスプレイパネルの照明用バックライトとして、冷陰極管（ＣＣＦＬ）や発光ダイオード（ＬＥＤ）アレイからなる線状光源を導光板側面に配置し、導光板上に多数の光学フィルムおよび液晶パネルが直上に配置するいわゆるサイドライト方式のものが知られている。
【０００３】
このようなサイドライト方式には、プリズムに入射された光を屈折により集光するシステムのサイドライト方式とプリズムに入射された光を全反射により集光するシステムのサイドライト方式の２通りが採用されている。前者の、光の屈折により集光するサイドライト方式の光源装置には、一般的に複数枚の光学フィルムが使用されており、導光板側から順に下拡散フィルム、続いて光源装置の出射面側（液晶パネル側）にプリズム列が形成されたプリズムシートがそのプリズム稜線が直交するように２枚、更に上拡散フィルムが配置されている。下拡散フィルムは、導光板に形成された光出射機構であるドットパターンの像ぼかし機能、輝度均一化を行う機能、等方偏向機能を有するものが一般的に用いられる。プリズムシートは、光の屈折により法線下向からの光を入射方向に再帰させるとともに、拡散フィルムからの光をさらに異方性偏向し、水平及び垂直方向の視野角（液晶パネルでの評価、コントラスト比換算での視野角）が得られるように調整している。
前者のシステムにおいては、拡散フィルム、プリズムシートは別々のシートとして供給されて積層されるため打ち抜き・加工、組み立て、物流によってコストが高くなること、組み立て時に混入する塵埃のため歩留まりが低下する等の問題がある。
このため、前者のシステムに用いられる光学フィルムを削減することが検討されているものの、光学フィルムの削減により、導光板に形成されたドットパターンが光学フィルム越しに透過して視認されるという新たな問題が生じている。
【０００４】
一方、後者の光の全反射により集光するサイドライト方式の光源装置では、導光板側から順に、プリズムシート１枚のみ、あるいはプリズムシート上に上拡散フィルム１枚を追加した計１枚から２枚の光学フィルムが使用されている。ここでプリズムシートは、光源装置の出射面とは反対面側（導光板側）にプリズム列が形成されたものであり、導光板から出射された光を、光の全反射により、さらに異方性偏向して液晶パネル正面に光を集光させている。プリズムによる光の全反射を利用するため、導光板には、プリズムで効率的に光を反射させるための特定の出射光分布を備えた光学設計を行う必要がある。
後者のシステムにおいては、導光板からの出射光を効率的に法線方向に集光させることが出来るので高輝度の光源装置が得られるが、その反面、導光板のドットパターンや導光板に写りこんだ光源イメージがプリズムにより鏡のように全反射されるため、面光源内における輝度ムラ、ドットイメージが問題となる。
【発明の開示】
【発明が解決しようとする課題】
【０００５】
本発明は、このような問題を解決するためになされたもので、複数のシート材料の機能を１枚に集約した光偏向シートを得ることが出来、高輝度で且つ面光源内における輝度ムラおよびドットイメージを低減する光偏向シートを提供することを目的とする。
【課題を解決するための手段】
【０００６】
本発明によれば、指向性光出射機能を有する導光板からの出射光を偏向する光偏光シートであって、前記光偏向シートが、透光性樹脂基板の両面に光学的構造を備えた光偏向シートが提供される。
【０００７】
本発明の一態様によれば、前記光光学的構造は、両面ともに異方性レンズを有する光偏向シートが提供される。
【０００８】
本発明の一態様によれば、前記光学的構造は、一方の面にプリズムレンズ列を有し、他方の面に異方性マイクロレンズを有する光偏向シートが提供される。
【０００９】
本発明の一態様によれば、前記光学的構造は、両面異方性レンズであり、出射面側の異方性レンズの全面あるいは一部が粗面である光偏向シートが提供される。本発明の一能用によれば、前記光学的構造が、一方の面に異方性レンズを有し、他方に異方性拡散素子を有する光偏向シートが提供される。
【００１０】
本発明の一態様によれば、光源と、光入射面から入射した入射光を光出射面から出射する導光体と、前記導光体の光出射面上に配置され、透光性樹脂基板の両面に光学的構造を備えた光偏向シートと、を備え、前記光偏向シートは、前記導光体の光出射面と対向する面にプリズムレンズ列を有することを特徴とする面光源装置が提供される。
【発明の効果】
【００１１】
本発明の光偏向シートは、液晶表示装置の面光源装置において、光学フィルム部材点数を削減することにより、低コストで、且つ高輝度、導光板のドットパターンの像をぼかすことができ、さらにＬＥＤなどの点状光源による明暗斑（目玉欠陥）を低減することができる。
【発明を実施するための最良の形態】
【００１２】
以下、本発明の実施形態の光偏向シートについて説明する。本発明の光偏向シートは、液晶表示装置等のバックライトにおいて、導光板から出射された光を拡散および偏向させるものである。
【００１３】
本発明の実施形態において、面光源装置（図示されず）は、少なくとも一つの側端面を光入射面とし、これと略直交する一つの表面を光出射面とする導光体と、この導光体の光入射面に対向して配置され光源リフレクタで覆われた一次光源と、導光体の光出射面上に配置された光偏向素子と、導光体の光出射面の裏面に対向して配置された光反射素子とから構成される。
【００１４】
本発明において導光体は、全体として矩形板状をなしている。導光体は４つの側端面を有しており、側端面のうちの少なくとも一つの側端面を光入射面とする。光入射面は光源と対向して配置されており、光源から発せられた光は光入射面から導光体内へと入射する。
【００１５】
導光体の光入射面に略直交した２つの主面は、それぞれ略平行にもしくは光入光面からその対面に向かうにつれて間隔が狭くなるよう２つの主面が傾いて位置しており、いずれか一方の面が光出射面となる。この光出射面またはその裏面のうちの少なくとも一方の面に粗面からなる指向性光出射機能部を付与することによって、光入射面から入射した光を導光体中を導光させながら光出射面から光入射面および光出射面に直交する面内の出射光分布において指向性のある光を出射させる。この面内分布における出射光分布のピークの方向が光出射面となす角度をαとする。該角度αは例えば１０〜４０度であり、出射光分布の半値幅は例えば１０〜４０度である。
【００１６】
導光体に形成される粗面の平均傾斜角θａは、ＩＳＯ４２８７／１−１９８４に従って、触針式表面粗さ計を用いて粗面形状を測定し、測定方向の座標をｘとして、得られた傾斜関数ｆ（ｘ）から次の（１）式および（２）式を用いて求めることができる。ここで、Ｌは測定長さであり、Δａは平均傾斜角θａの正接である。
【００１７】
Δａ＝（１／Ｌ）∫０Ｌ｜（ｄ／Ｄｘ）ｆ（ｘ）｜ｄｘ  ・・・  （１）
θａ＝ｔａｎ−１（Δａ）  ・・・  （２）
【００１８】
本発明において光偏向シートを形成する透光性樹脂基板としては、ポリカーボネート樹脂、ポリエチレンテレフタレート樹脂（ＰＥＴ）、トリアセテート樹脂（ＴＡＣ）、環状ポリオレフィン樹脂、アクリル樹脂などの透明な基材であれば、特に限定されない。また、基材フィルムを構成する樹脂中に無機系あるいは有機系（ポリマービーズ）の拡散剤を含有した光拡散性のあるフィルムを用いることもできる。透明基材の厚みは、０．００５ｍｍ〜５ｍｍであり、光偏向シートの用途に応じて選定することが出来る。
【００１９】
本発明において光偏向シートは、前記透光性樹脂基板の両面に光学的構造を有する。ここで光学的構造は、規則的に配置されたでも、ランダムに配置された構造のいずれでも良く、光学的構造は、等方性および異方性のいずれでも良い。等方性の光学的構造としては、半球形状のマイクロレンズ、三角錐、四角錘形状等のプリズムなどの等方性偏向素子が挙げられる。また、異方性の光学的構造としては多角形状のプリズムレンズおよび水平方向と垂直方向の頂角が異なるクロスプリズムレンズ、半円のシリンドリカルレンズあるいはクロスレンチ形状のクロスプリズム、半楕円球状（非対称）のマイクロレンズなどの異方性偏向素子、あるいはホログラムなどの回折素子による異方性拡散素子が挙げられる。例えば水平方向と垂直方向の頂角が異なるクロスプリズムレンズでは、導光体の光出射面側を向くプリズムの頂角の範囲は４０〜８０度、好ましくは５０〜７０度であり、そのプリズム面と反対に位置するプリズムの頂角の範囲は６０〜１５０度、好ましくは８０〜１２０度である。
【００２０】
これら光学的構造は、透光性樹脂基板の上面および下面に夫々組み合わせて形成される。透光性樹脂基板の上面および下面に形成される異方性偏向素子の稜線方向は、互いに平行あるいは直交、もしくは１°〜４５°のバイアス傾斜角をもたせて配置して良い。ここで、透光性樹脂基板の上下面に形成するプリズム等のレンズ稜線方向が互いに平行配置される場合は、両者の間でモアレが出やすいので注意を要する。その際は、レンズのピッチをランダムにするか、一方のピッチを他方のピッチの整数＋０．４〜整数＋０．６倍にすることによってモアレの発生を防止する。
【００２１】
またプリズムレンズ、シリンドリカルレンズ、マイクロレンズなどの異方性偏向素子を製造する金型にサンドブラスト、レーザー照射等による物理的表面処理、化学エッチングによる化学的表面処理によりレンズ表面あるいはレンズ局部を粗面化処理を施し、透光性樹脂基板上へ転写することにより異方性光学的構造および等方性光学的構造に拡散性を付与させることができる。またプリズム形状の先端部に平坦部を形成し、前記平坦部に粗面化処理を施すことも出来る。レンズ表面あるいはレンズ局部に粗面を設けることにより、導光板由来のドットパターンや輝線暗線（明暗ムラ）などが隠蔽され、均一な面光源を得ることが出来る。また、プリズム形状中にプリズムピッチより小さい粒径の微粒子を分散させて光拡散性を付与することも出来る。
【００２２】
本発明において光反射素子は、光を拡散反射させるシートを用いてもよいが、正反射させるシートを用いた方が好ましい。光を拡散反射させるシートはＰＥＴシート中に顔料（無機、有機）もしくは気泡などを有した白色のシートを用いても良い。例えば東レ株式会社のルミラーＥ６０Ｌや帝人デュポンフィルム株式会社のテトロンＵＸなどである。光を正反射させるシートはフィルム状の基材表面に金属蒸着（Ａｇ、Ａｌなど）により金属薄膜を形成し、隠蔽性付与のため裏面に白色のバックコートを施したシートを用いても良い。例えば麗光株式会社のルイルミラーなどである。
【００２３】
以下、添付図面を参照して本発明の実施形態の光偏向シートについて説明する。
【００２４】
図１は、本発明の第１実施態様の光偏向シート１０の断面図である。光偏向シート１０は、ＣＣＦＬなどの線状光源やＬＥＤなどの点状光源を側面に配置した導光板上に配置されて使用される。
【００２５】
図１に示されているように、光偏向シート１０は、透光性樹脂基板１１の下面１１ａに略三角柱形状のプリズム１２と、もう一方の上面１１ｂにホログラムによる異方性拡散素子１３が形成されている。ここで、光偏向シート１０は、導光板の出射面と光偏向シートのプリズム１２とが向き合う構成で配置されており、プリズム１２はプリズム稜線が線状光源、または導光体の入射面に平行で配列されている。
【００２６】
ここで、略三角形状のプリズムは、導光板の出射角度特性および光源装置の視野角特性に応じて適宜、プリズム頂角を選定できる。これらプリズムは、予めプリズム形状を形成した金型により、透光性樹脂基板上に熱プレスなどによる賦型あるいは２Ｐ樹脂による賦型によってプリズムが転写形成される。
【００２７】
異方性拡散素子１３は、光学素子の水平方向と垂直方向で光拡散性角度特性が異なる。例えば、一方の光拡散性角度特性が５０°であり、直交するもう一方が２０°の拡散性角度特性をもつ異方性拡散素子が挙げられる。ここで、異方性拡散素子１３における光拡散性角度特性は、光源装置の用途に合わせて所望の特性を有する異方性拡散素子が選定できる。また、異方性拡散素子は、プリズム１２の稜線に対して直交方向に光拡散角度の小さい特性を合わせることで、プリズム１２で全反射させて集光した光を再度、異方性拡散素子により余計に広げることなく光を制御できるので、輝度の低下を必要最低限にとどめることが出来る。異方性拡散素子を有する光学フィルムは、Ｌｕｍｉｎｉｔ，ＬＬＣ社（米）のＬｉｇｈｔ  Ｓｈａｐｉｎｇ  Ｄｉｆｆｕｓｅｒｓ（ＬＳＤ）や、Ｗａｖｅ  Ｆｒｏｎｔ  Ｔｅｃｈｎｏｌｏｇｙ  Ｉｎｃ社（米）のＴＡＩＬＯＲＥＤ  ＭＩＣＲＯ  ＤＩＦＦＵＳＥＲＳ（ＴＭＤ）より市販されている。
【００２８】
このような構成によれば、導光板３から出射された光がプリズム１２により、効率的に法線方向に偏向され、輝度を高めることができる。また異方性拡散素子により、輝度低下を最小限に導光板のドットパターンの像ぼかし効果が得られる。
【００２９】
本発明の第１実施態様の光偏向シート１０は、導光板３の出射面３ｂと光偏向シートのプリズム１２が向き合う構成で配置したが、光偏向シート１０の光学的構造を反転し、導光板３の出射面３ｂと異方性拡散素子１３が向き合う構成で配置しても良い。
【００３０】
図２は、本発明の第２実施態様の光偏向シート２０の断面図である。図２（ｂ）は、図２（ａ）に示されたＤ−Ｄ’における光偏向シート２０の断面図である。図２に示されているように、光偏向シート２０は、透光性樹脂基板２１の下面２１ａに略三角柱形状のプリズム２２と、もう一方の上面２１ｂにプリズム２２の稜線と直交して略三角柱形状のプリズム２３が形成されている。ここで、光偏向シート２０は、導光板３の出射面３ｂと光偏向シートのプリズム２２が向き合う構成で配置されている。第２実施態様同様に略三角形状のプリズムは、導光板の出射角度特性および光源装置の視野角特性に応じて適宜、プリズム頂角を選定できる。
【００３１】
このような構成によれば、導光板３から出射された光がプリズム２２により、法線方向に偏向され、光源装置における垂直方向の光を集光することができる。さらに稜線が直交したプリズム２３により水平方向の光を集光することができるため、輝度を更に高めることができる。また上面のプリズム２３は、レンズによる光の屈折作用で、輝度をほとんど低下させることなく導光板のドットパターンの像ぼかし効果が得られる。
【００３２】
本発明の第２実施態様の光偏向シート２０は、プリズム２２の稜線とプリズム２３の稜線は直交して配置させたが、互いに平行あるいは１°〜４５°のバイアス傾斜角をもたせて配置しても良い。
【実施例】
【００３３】
以下に本発明の具体的な実施例について例示を行う。なお、本願発明はこれら実施例に限定されるものではなく、その等価物も含むものとする。
【００３４】
（実施例１）
本発明の実施例は、図２に示されている光偏向レンズシートである。透光性樹脂基板である透明ＰＥＴフィルム（厚み１８８μｍ、両面易接着処理）の下面に、第１の偏向レンズ（主に垂直視野角を制御）として、頂角θ１＝６８°、プリズムピッチＰ１＝５０μｍのプリズムレンズを形成し、更にもう一方の上面に第２の偏向レンズ（主に水平視野角を制御）として、頂角θ２＝１００度、プリズムピッチ  Ｐ２＝５０μｍのプリズムレンズを第２の偏向レンズの稜線が第１の偏向レンズの稜線に直交させて形成した。ここで、プリズムレンズは、紫外線硬化樹脂による２Ｐ賦型により製造した。また、光反射素子に東レ株式会社製品Ｅ６０Ｌ白色ＰＥＴフィルムを使用した。
【００３５】
（実施例２）
第２の偏向レンズが曲率半径２５μｍ、ピッチ３０μｍのシリンドリカルレンズであること以外は、実施例１と同様に行った。
【００３６】
（実施例３）
第１の偏向レンズが頂角θ１＝６５°、プリズムピッチピッチＰ１＝５０μｍのプリズムレンズであること、さらに第２の偏向レンズが頂角θ２＝９０°であること以外は、実施例１と同様に行った。
【００３７】
（実施例４）
第１の偏向レンズが頂角θ１＝６５°、プリズムピッチピッチＰ１＝５０μｍのプリズムレンズであること以外は、実施例１と同様に行った。
【００３８】
（実施例５）
光反射素子が主に正反射である麗光製品ルイルミラー反射シートであること以外は、実施例３と同様に行った。
【００３９】
（実施例６）
光反射素子が主に正反射である反射シートであること以外は、実施例１と同様に行った。
【００４０】
（比較例１）
比較例１は、現状で用いられるサイドライト方式における全反射型プリズムシートを用いたバックライトの構成である。透光性樹脂基板である透明ＰＥＴフィルム上面に第２の偏向レンズが形成されず、透明ＰＥＴフィルム面であること以外は実施例１と同様に行った。
【００４１】
（比較例２）
透明ＰＥＴフィルム下面に頂角θ１＝６８°、プリズムピッチＰ１＝５０μｍのプリズムレンズが形成され、更に上面には拡散マットのみのヘイズが６３％の等方性拡散マットが形成されているプリズムシートを用いること以外は、比較例１と同様に行った。
【００４２】
（比較例３）
透光性樹脂基板である透明ＰＥＴフィルム上面に第２の偏向レンズが形成されず、透明ＰＥＴフィルム面であること以外は実施例３と同様に行った。
【００４３】
（比較例４）
透光性樹脂基板である透明ＰＥＴフィルム上面に第２の偏向レンズが形成されず、透明ＰＥＴフィルム面であること以外は実施例５と同様に行った。
【００４４】
（サイドライト方式バックライトの構造）
本実施例１〜実施例２において光学特性の測定に用いたサイドライト方式のバックライトは後述のとおりである。すなわち、１３．３インチサイズのバックライト、白色ＬＥＤが５４個配列された光源で電流値１２０ｍＡ、電圧２８ｖであり、また、導光板は、三菱レイヨン（株）製メタクリル樹脂アクリペットＴＦ８からなり、射出成型により光出射面に微細凹凸マット（入光部（光源近傍）がマット密度が薄く、反入光部へ行くに従いマット密度が濃くなるようなグラデーションパターン）からなる光出射機構が形成され、裏面は鏡面の導光板（厚み０．７５ｍｍ）を用いた。前記導光板上に実施例１〜実施例２、比較例１〜２の光偏向シートを配置してサイドライト方式のバックライトを作成した。導光板の出射光分布を図５に示す。また、垂直方向における出射光光度分布の最大ピークは光出射面法線方向に対して７５．５度であった。
本実施例３〜４において光学特性の測定に用いたサイドライト方式のバックライトは後述のとおりである。すなわち、１４．１インチサイズのバックライト、直径１．８ｍｍのＣＣＦＬが１本配置された光源で電流値４３０ｍＡ、電圧１２ｖであり、また、導光板は、三菱レイヨン（株）製メタクリル樹脂アクリペットＴＦ８からなり、射出成型により光出射面の裏面に微細凹凸マット（入光部（光源近傍）でマット密度が薄く、反入光部へ行くに従いマット密度が濃くなるようなグラデーションパターン）からなる光出射機構が形成され、光出射面は鏡面、また光入光面からその対面へ向かうにつれて厚さが２ｍｍから０．７ｍｍへと減少する略楔形状の導光板を用いた。前記導光板上に実施例３〜実施例６、比較例３〜比較例４の光偏向シートを配置してサイドライト方式のバックライトを作成した。導光板の垂直方向における出射光光度分布の最大ピークは光出射面法線方向に対して７８．度であった。
【００４５】
（輝度と視野角特性の評価方法）
本実施例１〜２において前記バックライトを点灯し、３０分放置後、ＥＬＤＩＭ社ＥＺｃｏｎｔｒａｓｔ１６０Ｒ（コノスコープ）にて、バックライト中央の角度輝度分布を測定した。得られた輝度データにｃｏｓθ（ここでθは、出光角度）を乗じて、光度換算処理を行った。同様に本実施例３〜６において前記バックライトを点灯し、１時間放置後、トプコン社製ＢＭ−７Ｆａｓｔにて、垂直方向のステージを−３０°〜３０°変角し、法線に対して±５°の範囲を０．２°、それ以外の角度については１°毎に輝度を測定し角度輝度分布を測定した。得られた輝度データにｃｏｓθ（ここでθは、出光角度）を乗じて、光度換算処理を行った。
【００４６】
（バックライト品位の評価方法）
本実施例１〜２において、前記バックライトにおけるドットパターンイメージおよびＬＥＤ光源による明暗斑（目玉欠陥）をバックライトより３０ｃｍ離れた地点から目視にて観察した。判定は、ドットパターンイメージおよびＬＥＤ光源による明暗斑が目視で認められない品位レベル「○」から、目視で確認可能な品位レベル（ＮＧレベル）「×」までを「○」＞「△」＞「×」の３段階評価とした。同様に本実施例３〜６において、前記バックライトにおけるドットパターンをバックライトより３０ｃｍ離れた地点から目視にて観察した。判定は、ドットパターンイメージが目視で認められない品位レベル「○」から、目視で確認可能な品位レベル（ＮＧレベル）「×」までを「○」＞「△」＞「×」の３段階評価とした。
【００４７】
ここで、本実施例１〜２におけるピーク光度およびピーク角度および垂直方向、水平方向の光度の半減角度および品位観察結果を表１に、実施例１と比較例１における視野角特性を図３、図４に示す。同様に本実施例３〜４における比較例３とのピーク光度比率及び垂直方向の光度半減角度、本実施例５〜６における比較例４とのピーク光度比率及び垂直方向の光度半減角度を表２に示す。
【００４８】
【表１】
2009300989.tif 000003
【表２】
2009300989.tif 000004
【００４９】
実施例１および実施例２ともに、比較例１に比べ光度は劣るものの、ドットパターンイメージおよびＬＥＤ光源による明暗斑欠陥が、大幅に改善していることがわかる。また、比較例２に比べると光度および画面品位が同等以上に向上していることがわかる。
表１において、実施例１および実施例２ともに、比較例１に比べ光度は劣るものの、ドットパターンイメージおよびＬＥＤ光源による明暗斑欠陥が、大幅に改善していることがわかる。
また、比較例２に比べると光度および画面品位が同等以上に向上していることがわかる。
表２において実施例３および実施例４ともに、比較例３に比べ光度比率は劣るものの、ドットパターンイメージが大幅に改善されていることがわかる。
また、垂直方向における全半値角度（視野角）が広がっていることがわかる。
特に実施例４は、比較例３に比べ輝度が同等で、かつ全半値角度（垂直視野角）が広がっていることがわかり、光度および視野角特性、画面品位が同等以上に改善された面光源装置が得られていることがわかる。
表２において、実施例５を比較例４と比べると光度が劣っているものの、ドットパターンイメージが大幅に改善していることがわかる。
また、垂直方向における全半値角度（視野角）が広がっていることがわかる。
特に実施例６は、比較例４に比べ光度が向上し、かつ全半値角度（垂直視野角）が広がっていることがわかり、光度および視野角特性、画面品位が改善された面光源装置が得られていることがわかる。
【図面の簡単な説明】
【００５０】
【図１】本発明の光偏向レンズシートの断面図である。
【図２】本発明のその他の光偏向レンズシートの断面図である。
【図３】光偏向レンズシートの水平方向の視野角特性である。
【図４】光偏向レンズシートの垂直方向の視野角特性である。
【図５】実施例における導光板の垂直方向の視野角特性である。
【符号の説明】
【００５１】
１０，２０：光偏向シート
１１、２１：透光性樹脂基板
１２、２２、２３：プリズムレンズ
１３：異方性拡散素子
【図１】
2009300989.tif 000005
【図２】
2009300989.tif 000006
【図３】
2009300989.tif 000007
【図４】
2009300989.tif 000008
【図５】
2009300989.tif 000009